(57)【要約】【課題】多様な情報をユーザーに表示することができる車載ユーザーインターフェース装置を提供する。【解決手段】車室側に向けて映像を表示する背景映像用ディスプレイ１１と、背景映像用ディスプレイ１１よりも車室側に、背景映像用ディスプレイ１１の表示部１１ａに対して傾斜した状態で対向するように設けられ背景映像用ディスプレイ１１の映像を視認可能に透過するハーフミラー１３と、ハーフミラー１３に向けて映像を表示する立体映像用ディスプレイ１２と、背景映像用ディスプレイ１１及び立体映像用ディスプレイ１２にコンテンツを映像として表示させる表示制御部と、を備え、表示制御部は、背景映像用ディスプレイ１１にコンテンツを背景映像として表示させ、立体映像用ディスプレイ１２にコンテンツを表示させることで、ハーフミラー１３と背景映像用ディスプレイ１１との間に背景映像に重ねて立体映像を表示させる。【選択図】図２
2020042449.tif 000002
【特許請求の範囲】
【請求項１】
車室側に向けて映像を表示する背景映像用ディスプレイと、
前記背景映像用ディスプレイよりも車室側に、前記背景映像用ディスプレイの表示部に対して傾斜した状態で対向するように設けられ前記背景映像用ディスプレイの映像を視認可能に透過するハーフミラーと、
前記ハーフミラーに向けて映像を表示する立体映像用ディスプレイと、
前記背景映像用ディスプレイ及び前記立体映像用ディスプレイにコンテンツを映像として表示させる表示制御部と、を備え、
前記表示制御部は、前記背景映像用ディスプレイに前記コンテンツを背景映像として表示させ、前記立体映像用ディスプレイに前記コンテンツを表示させることで、前記ハーフミラーと前記背景映像用ディスプレイとの間に背景映像に重ねて立体映像を表示させる
ことを特徴とする車載ユーザーインターフェース装置。
【請求項２】
請求項１に記載の車載ユーザーインターフェース装置であって、
ユーザーの動作を検出する動作検出手段を備え、
前記表示制御部は、前記動作検出手段により検出された動作に基づいて、前記背景映像用ディスプレイ又は前記立体映像用ディスプレイに前記コンテンツを背景映像又は立体映像として表示させる
ことを特徴とする車載ユーザーインターフェース装置。
【請求項３】
請求項２に記載の車載ユーザーインターフェース装置であって、
前記表示制御部は、前記動作検出手段により検出された前記立体映像用ディスプレイの立体映像に対する動作に応じて新たな映像を前記立体映像として表示するとともに、それまで表示していた前記立体映像を前記背景映像として表示する
ことを特徴とする車載ユーザーインターフェース装置。
【請求項４】
請求項１から請求項３の何れか一項に記載の車載ユーザーインターフェース装置であって、
前記表示制御部は、前記背景映像用ディスプレイ及び前記立体映像用ディスプレイのそれぞれに、互いに関連した前記コンテンツを表示する
ことを特徴とする車載ユーザーインターフェース装置。
【請求項５】
請求項１から請求項４の何れか一項に記載の車載ユーザーインターフェース装置であって、
前記背景映像用ディスプレイ、前記立体映像用ディスプレイ、及び前記ハーフミラーを収容する筐体を備え、
前記筐体は、前記車室側に開口部を有し、
前記背景映像用ディスプレイは、前記開口部と正対した位置で前記開口部側に向けて配置され、
前記立体映像用ディスプレイは、前記背景映像用ディスプレイよりも前記開口部側でかつ前記背景映像用ディスプレイの外周縁より外側に位置して前記筐体内に向けて配置され、
前記ハーフミラーは、一方の面が前記背景映像用ディスプレイ側を向き、他方の面が前記立体映像用ディスプレイ側を向いて傾斜して配置される
ことを特徴とする車載ユーザーインターフェース装置。
【請求項６】
請求項５に記載の車載ユーザーインターフェース装置であって、
前記筐体は、方形の箱型を成し、
前記背景映像用ディスプレイは、前記筐体の前記開口部と対向する背面に沿って設けられ、
前記立体映像用ディスプレイは、前記筐体の前記背面と直交する隣接面に沿って配置され、
前記ハーフミラーは、前記筐体の前記背面と前記隣接面が交わる第１の辺と、前記第１の辺の対角に位置する第２の辺とを結ぶ平面に沿って配置される
ことを特徴とする車載ユーザーインターフェース装置。
【請求項７】
請求項６に記載の車載ユーザーインターフェース装置であって、
前記隣接面は、前記筐体の前記背面と直交する上面であり、
前記立体映像用ディスプレイは、前記上面に沿って配置される
ことを特徴とする車載ユーザーインターフェース装置。
【発明の詳細な説明】
【技術分野】
【０００１】
本発明は、様々なコンテンツを立体映像として空間に表示させる車載ユーザーインターフェース装置に関する。
【背景技術】
【０００２】
車両には、走行速度やエンジンの回転数などを示す表示装置が搭載されている。このような表示装置の一例としては、タコメーターなどの計器類の前にハーフミラーを配置し、そのハーフミラーに向けて映像出力装置を配置することで、タコメーターの前に立体映像を表示するものが知られている（例えば、特許文献１参照）。このような表示装置によれば、重要な情報をユーザーに優先的に認識させることができる。
【０００３】
しかしながら、昨今では、ユーザーに提示できる情報は、自動車の走行速度の他、道路情報や周辺情報、さらには音楽やテレビ放送など多様である。上記した表示装置では、計器類に関連した情報を立体的に表示するのみであり、多様な情報を表示することは困難である。
【先行技術文献】
【特許文献】
【０００４】
【特許文献１】特許第５９０４１３７号公報
【発明の概要】
【発明が解決しようとする課題】
【０００５】
本発明は、このような事情に鑑みてなされたものであり、多様な情報をユーザーに表示することができる車載ユーザーインターフェース装置を提供することを目的とする。
【課題を解決するための手段】
【０００６】
上記課題を解決する本発明の第１の態様は、車室側に向けて映像を表示する背景映像用ディスプレイと、前記背景映像用ディスプレイよりも車室側に、前記背景映像用ディスプレイの表示部に対して傾斜した状態で対向するように設けられ前記背景映像用ディスプレイの映像を視認可能に透過するハーフミラーと、前記ハーフミラーに向けて映像を表示する立体映像用ディスプレイと、前記背景映像用ディスプレイ及び前記立体映像用ディスプレイにコンテンツを映像として表示させる表示制御部と、を備え、前記表示制御部は、前記背景映像用ディスプレイに前記コンテンツを背景映像として表示させ、前記立体映像用ディスプレイに前記コンテンツを表示させることで、前記ハーフミラーと前記背景映像用ディスプレイとの間に背景映像に重ねて立体映像を表示させることを特徴とする車載ユーザーインターフェース装置にある。
【０００７】
第１の態様では、複数のコンテンツを背景及びそれより前方に浮遊するように表示するので多様なコンテンツ（情報）をユーザーに対して表示することができる。また、単にコンテンツを並べて表示するのではなく、一方を立体映像として表示するので、ユーザーに臨場感や驚き、楽しみを与えることができる。
【０００８】
本発明の第２の態様は、第１の態様に記載の車載ユーザーインターフェース装置であって、ユーザーの動作を検出する動作検出手段を備え、前記表示制御部は、前記動作検出手段により検出された動作に基づいて、前記背景映像用ディスプレイ又は前記立体映像用ディスプレイに前記コンテンツを背景映像又は立体映像として表示させることを特徴とする車載ユーザーインターフェース装置にある。
【０００９】
第２の態様では、背景映像用ディスプレイ及び立体映像用ディスプレイに表示された映像を見ながら直観的に操作することができる。
【００１０】
本発明の第３の態様は、第２の態様に記載の車載ユーザーインターフェース装置であって、前記表示制御部は、前記動作検出手段により検出された前記立体映像用ディスプレイの立体映像に対する動作に応じて新たな映像を前記立体映像として表示するとともに、それまで表示していた前記立体映像を前記背景映像として表示することを特徴とする車載ユーザーインターフェース装置にある。
【００１１】
第３の態様では、操作対象として着目させたいコンテンツが背景映像よりも前方に立体映像として表示されるので、それらのコンテンツに対する操作性を向上することができる。
【００１２】
本発明の第４の態様は、第１から第３の何れか一つの態様に記載の車載ユーザーインターフェース装置であって、前記表示制御部は、前記背景映像用ディスプレイ及び前記立体映像用ディスプレイのそれぞれに、互いに関連した前記コンテンツを表示することを特徴とする車載ユーザーインターフェース装置にある。
【００１３】
第４の態様では、背景映像に表示したコンテンツに関連したコンテンツを立体感のある高い表現力でユーザーに提示することができる。
【００１４】
本発明の第５の態様は、第１から第４の何れか一つの態様に記載の車載ユーザーインターフェース装置であって、前記背景映像用ディスプレイ、前記立体映像用ディスプレイ、及び前記ハーフミラーを収容する筐体を備え、前記筐体は、前記車室側に開口部を有し、前記背景映像用ディスプレイは、前記開口部と正対した位置で前記開口部側に向けて配置され、前記立体映像用ディスプレイは、前記背景映像用ディスプレイよりも前記開口部側でかつ前記背景映像用ディスプレイの外周縁より外側に位置して前記筐体内に向けて配置され、前記ハーフミラーは、一方の面が前記背景映像用ディスプレイ側を向き、他方の面が前記立体映像用ディスプレイ側を向いて傾斜して配置されることを特徴とする車載ユーザーインターフェース装置にある。
【００１５】
第５の態様では、ユーザーに臨場感や驚き、楽しみを与えることができる背景映像用ディスプレイ、立体映像用ディスプレイ及びハーフミラーのレイアウトを容易に成立させることができる。
【００１６】
本発明の第６の態様は、第５の態様に記載の車載ユーザーインターフェース装置であって、前記筐体は、方形の箱型を成し、前記背景映像用ディスプレイは、前記筐体の前記開口部と対向する背面に沿って設けられ、前記立体映像用ディスプレイは、前記筐体の前記背面と直交する隣接面に沿って配置され、前記ハーフミラーは、前記筐体の前記背面と前記隣接面が交わる第１の辺と、前記第１の辺の対角に位置する第２の辺とを結ぶ平面に沿って配置されることを特徴とする車載ユーザーインターフェース装置にある。
【００１７】
第６の態様では、背景映像に重ねて表示させる立体映像を、ユーザーに浮遊感、臨場感をより与えるように表示させることができる。
【００１８】
本発明の第７の態様は、第６の態様に記載の車載ユーザーインターフェース装置であって、前記立体映像用ディスプレイは、前記筐体の前記背面と直交する上面に沿って配置されることを特徴とする車載ユーザーインターフェース装置にある。
【００１９】
第７の態様では、ユーザーからは、立体映像用ディスプレイに表示されている立体映像は直接視認されず、ハーフミラーを通した立体映像のみが、背景映像に重ねて視認できるため、ユーザーに映像がより鮮明（綺麗）に視認させることができる。
【発明の効果】
【００２０】
本発明によれば、多様な情報をユーザーに表示することができる車載ユーザーインターフェース装置が提供される。
【図面の簡単な説明】
【００２１】
【図１】車載ユーザーインターフェース装置の斜視図である。
【図２】車載ユーザーインターフェース装置の断面図及び映像の表示態様を示す図である。
【図３】車載ユーザーインターフェース装置のブロック図である。
【図４】車載ユーザーインターフェース装置で表示される映像の例である。
【図５】車載ユーザーインターフェース装置で表示される映像の例である。
【図６】車載ユーザーインターフェース装置で表示される映像の例である。
【発明を実施するための形態】
【００２２】
以下、本発明を実施するための形態について説明する。なお、実施形態の説明は例示であり、本発明は以下の説明に限定されない。
【００２３】
図１は車載ユーザーインターフェース装置１の斜視図であり、図２は車載ユーザーインターフェース装置の断面図及び映像の表示態様を示す図である。
【００２４】
車載ユーザーインターフェース装置１は、車両の車室内の中央部に設けられた表示装置１０と、センターコンソールに配置されたタッチパッド２０と、これらが接続されている制御装置３０（図３参照）と、を備えている。
【００２５】
表示装置１０は、インストルメントパネルに設けられた筐体４０を備え、この筐体４０に収容された背景映像用ディスプレイ１１、立体映像用ディスプレイ１２及びハーフミラー１３を備えている。
【００２６】
筐体４０は、方形の箱形を成し、車室側に開口した開口部４５を有する。また、筐体４０には、上面４７に上開口部４２、背面４６（車室とは反対側の面）に後開口部４１が設けられている。筐体４０の背面４６は、請求項に記載の開口部と対向する背面に該当する。また、筐体４０の上面４７は、請求項に記載の上面に該当し、かつ、背面と直交する隣接面に該当する。
【００２７】
背景映像用ディスプレイ１１及び立体映像用ディスプレイ１２は、液晶ディスプレイ、有機ＥＬディスプレイなどの装置であり、コンテンツを映像として表示することが可能な装置である。背景映像用ディスプレイ１１の映像を表示する部分を表示部１１ａ、立体映像用ディスプレイ１２の映像を表示する部分を表示部１２ａと称する。
【００２８】
背景映像用ディスプレイ１１は、開口部４５と正対した位置で開口部４５に向けて配置されている。背景映像用ディスプレイ１１が開口部４５に向けて配置されるとは、その表示部１１ａが開口部４５に向けて配置されていることをいう。具体的には、背景映像用ディスプレイ１１は、筐体４０の背面４６に沿って配置されている。すなわち、背面４６と表示部１１ａが相対向（必ずしも接触していなくてもよい）するように背景映像用ディスプレイ１１が筐体４０に取り付けられている。このような配置により、背景映像用ディスプレイ１１の表示部１１ａが後開口部４１内に露出し、開口部４５側から表示部１１ａを視認できるようになっている。
【００２９】
立体映像用ディスプレイ１２は、背景映像用ディスプレイ１１よりも開口部４５側であり、かつ、背景映像用ディスプレイ１１の外周縁１１ｂよりも外側（本実施形態では上側）に位置し、筐体４０内に向けて配置されている。
【００３０】
立体映像用ディスプレイ１２が筐体４０内に向けて配置されるとは、その表示部１２ａが筐体４０内に向けて配置されていることをいう。具体的には、立体映像用ディスプレイ１２は、筐体４０の上面４７に沿って配置されている。すなわち、上面４７と表示部１２ａが相対向（必ずしも接触していなくてもよい）するように立体映像用ディスプレイ１２が筐体４０に取り付けられている。このような配置により、立体映像用ディスプレイ１２の表示部１２ａが上開口部４２内に露出し、後述するハーフミラー１３側へ向けて映像を表示するようになっている。
【００３１】
ハーフミラー１３は、背景映像用ディスプレイ１１の映像を視認可能に透過する。このようなハーフミラー１３は、背景映像用ディスプレイ１１よりも車室側において、背景映像用ディスプレイ１１の表示部１１ａに対して傾斜した状態で対向するように筐体４０に設けられている。
【００３２】
より具体的には、一方の面が背景映像用ディスプレイ１１側を向き、他方の面が立体映像用ディスプレイ１２を向いて傾斜するように筐体４０内に配置されている。筐体４０の背面４６と上面４７とが交わる辺を第１の辺４８とする。また、第１の辺４８の対角に位置する辺を第２の辺４９とする。ハーフミラー１３は、第１の辺４８と第２の辺４９とを結ぶ仮想的な平面に沿うように配置されている。本実施形態では、ハーフミラー１３の傾斜角は水平面に対し約４５度になっている。
【００３３】
ハーフミラー１３は、入射する光の一部を反射するとともに、入射する光の一部を透過させる半透過性を有している。具体的には、ハーフミラー１３は、背景映像用ディスプレイ１１で表示された映像を透過させる。また、ハーフミラー１３は、立体映像用ディスプレイ１２で表示された映像を背景映像用ディスプレイ１１側へ反射させる。ハーフミラー１３により反射された立体映像用ディスプレイ１２の映像は、立体映像Ｂとして背景映像用ディスプレイ１１と、ハーフミラー１３との間の空間に浮遊するように表示される。請求項に記載の背景映像用ディスプレイ１１の映像を視認可能に透過するとは、背景映像用ディスプレイ１１で表示された映像を透過し、開口部４５側から視認できることをいう。
【００３４】
以後、背景映像用ディスプレイ１１に表示されたコンテンツ（コンテンツについては後述する）を背景映像という。立体映像用ディスプレイ１２に表示されたコンテンツを元映像といい、この元映像がハーフミラー１３により空間に浮遊するように表示されたものを立体映像という。
【００３５】
ユーザーは、開口部４５から表示装置１０をみると、ハーフミラー１３を通して背景映像用ディスプレイ１１の表示部１１ａに表示された背景映像と、それよりも手前に浮遊するように表示された立体映像を視認することができる。同図に示す例では、背景映像Ａは道路であり、立体映像Ｂは自動車である。ユーザーには、これらが重なって視認できる（重なった背景映像Ａは点線で表している）。
【００３６】
タッチパッド２０は、ユーザーの動作を検出する動作検出手段の一例であり、公知の装置である。例えば、タッチパッド２０は、タッチパッド２０の操作部２１にユーザーが手で触れると、その動きを電気信号として制御装置３０に伝達するようになっている。なお、特に図示しないが、タッチパッド２０での操作に連動したポインタが背景映像用ディスプレイ１１又は立体映像用ディスプレイ１２に表示されるようになっている。ユーザーはそのポインタを見ながら、タッチパッド２０を操作することで、それらのディスプレイ上のポインタを動かせるようになっている。
【００３７】
制御装置３０は、ＥＣＵ（Electronic Control Unit）であり、ＣＰＵ、制御プログラムなどを格納・記憶するＲＯＭ、制御プログラムの作動領域としてのＲＡＭ、各種データを書き換え可能に保持するＥＥＰＲＯＭ、周辺回路等とのインターフェースをとるインターフェース部などを含んで構成される。制御装置３０は、背景映像用ディスプレイ１１、立体映像用ディスプレイ１２、及びタッチパッド２０（その他車両の各部など）とインターフェース部を介して接続されている。
【００３８】
図３は、車載ユーザーインターフェース装置１のブロック図である。同図に示すように、制御装置３０は、記憶装置３１、動作検出部３２及び表示制御部３３を備えている。
【００３９】
記憶装置３１は、所定のコンテンツを記憶している。コンテンツとは、文字情報、音楽、静止画、動画、車両に関する情報などをいう。
【００４０】
文字情報、音楽、静止画、動画は公知のフォーマットで記憶装置３１に記憶されている。また、車両の周囲を撮像するカメラ（図示せず）で得られた静止画又は動画もコンテンツに含まれる。車両に関する情報としては、例えば、車載機器の名称、車載機器に関連した設定項目が挙げられる。
【００４１】
車載機器としては、ナビゲーションシステム、ラジオ、オーディオ機器、空調装置などである。車載機器に関連した設定項目としては、ナビゲーションシステムの場合は経路や目的地が挙げられる。同様に、ラジオの場合は音量やラジオ局であり、空調装置の場合は運転モード（暖房、冷房、送風など）、温度、風量であり、オーディオ機器であれば音量や再生、停止、早送りなどである。
【００４２】
なお、コンテンツは、車両に搭載された記憶装置３１に記憶されたものに限らない。コンテンツは、遠隔の記憶装置に記憶されていてもよい。この場合、コンテンツを記憶した記憶装置を備えるサーバー装置を設け、車載ユーザーインターフェース装置１とサーバー装置との間で無線により通信可能とする。そして、車両から無線通信を介してキーワードがサーバー装置に送信されたとき、サーバー装置がキーワードに対応するコンテンツを記憶装置から検索し、車両に送信する。このようにして、車両は遠隔の記憶装置３１からコンテンツを得るようにしてもよい。
【００４３】
動作検出部３２は、制御装置３０で実行可能なプログラムであり、タッチパッド２０から取得した電気信号を解析し、乗員の手の動作を検出する。動作検出部３２は、手の動作として、例えば、フリック動作、スライド動作、ポイント動作、ピンチ動作を判定する。このようなタッチパッド２０により動作を検出する構成については公知技術であるため詳細な説明は省略する。
【００４４】
表示制御部３３は、記憶装置３１からコンテンツを読み出し、背景映像用ディスプレイ１１や立体映像用ディスプレイ１２で表示可能なデータ形式にして映像を表示させる。具体的には、制御装置３０で実行可能であり、背景映像用ディスプレイ１１及び立体映像用ディスプレイ１２に映像を表示させるプログラム（アプリケーション）が表示制御部３３に該当する。
【００４５】
このようなプログラムとしては、例えば、コンテンツである地図データ等を読み出して地図及び経路を探索するナビゲーションアプリケーションが挙げられる。コンテンツである音楽、静止画又は動画を読み出して、再生・表示する音楽プレイヤーや動画再生アプリケーションが挙げられる。コンテンツとしてインターネット上のデータを取得して表示するウェブブラウザが挙げられる。車両に関する情報を表示したり、車載機器を設定するためのアプリケーションが挙げられる。コンテンツとして車両に設けたカメラから得られた静止画又は動画を表示するアプリケーションが挙げられる。また、表示制御部３３は、これらのアプリケーションをアイコン表示し、アイコンを選択することでアプリケーションを実行させたり、複数のアプリケーションを選択する機能も有している。
【００４６】
表示制御部３３は、背景映像用ディスプレイ１１と立体映像用ディスプレイ１２のそれぞれに、異なるコンテンツを表示することが可能となっている。これにより、任意のコンテンツを背景映像用ディスプレイ１１に背景映像として表示させ、任意のコンテンツをその背景映像の前に立体映像として表示させることができる。
【００４７】
図４から図６を用いて、コンテンツを表示する具体例を説明する。図４から図６は車載ユーザーインターフェース装置で表示される映像の例である。なお図６では、背景映像と立体映像とが重なった図は省略し、背景映像と元画像とを並べて表示している。
【００４８】
図４に示すように、背景映像用ディスプレイ１１には、ナビゲーションアプリケーション（表示制御部３３）により、コンテンツである地図や経路案内が背景映像Ａとして表示されている。一方、立体映像用ディスプレイ１２には、音楽プレイヤーアプリケーション（表示制御部３３）により、コンテンツである音楽に関する情報（楽曲名、アーティスト名など）や、再生、停止、早送り、巻き戻しなどの機能を実現するためのボタンが元画像Ｃとして表示されている。
【００４９】
二つのアプリケーションにより、ナビゲーションの映像は背景映像Ａとして表示され、音楽プレイヤーの映像は立体映像Ｂとして表示されるので、それぞれの背景映像Ａ及び立体映像Ｂを個別に視認することができ、多様な情報がユーザーに表示される。この例の場合、ナビゲーションによる画面を視認しながら、音楽を再生することができるので、ナビゲーションを中断することなく音楽を楽しむことができる。立体映像Ｂは、背景映像Ａよりも前方に浮遊しているように表示されるので、ユーザーに臨場感や驚き、楽しみなどを与えることができる。
【００５０】
表示制御部３３は、動作検出部３２により検出された動作に対応して背景映像用ディスプレイ１１や立体映像用ディスプレイ１２にコンテンツを背景映像又は立体映像として表示させる制御を行う。
【００５１】
例えば、初期状態においてタッチパッド２０を操作した場合には、背景映像に表示するアプリケーションへの動作として検出する。図４の場合では、タッチパッド２０を操作すると、ナビゲーションアプリケーションに対する動作として検出される。そして、ナビゲーションアプリケーションでは、タッチパッド２０から得たタップ、スワイプなどの動作に応じて、所定の処理（ポインタの移動、目的地の入力、経路の検索、経路や地図の表示など）を実行するとともに背景映像を更新する。背景映像の更新は、例えば、操作に応じて地図の縮尺や表示範囲を変えたり、経路を描画するなどである。
【００５２】
そして、例えば、ダブルタップ動作など特定の動作が検出された場合、表示制御部３３は、以後のタッチパッド２０の操作を、立体映像に表示されたアプリケーションに対する動作として検出する。図４の場合では、タッチパッド２０を操作すると、音楽プレイヤーに対する動作として検出される。そして、音楽プレイヤーアプリケーションでは、タッチパッド２０から得たタップ、スワイプなどの動作に応じて、所定の処理（ポインタの移動、音楽の情報の表示、再生、停止、早送り、巻き戻しなど）を実行すると共に元映像（立体映像）を更新する。立体映像の更新は、例えば、再生中を表すような表示をしたり、再生などのボタンが押されたかのようなアニメーションを表示したり、曲が変わったらその曲の情報を新たに表示するなどである。
【００５３】
このように、背景映像用ディスプレイ１１及び立体映像用ディスプレイ１２に表示された各映像を見ながら直観的に操作することができる。
【００５４】
図５に示すように、背景映像用ディスプレイ１１又は立体映像用ディスプレイ１２に、互いに関連するコンテンツを表示してもよい。
【００５５】
具体的には、記憶装置３１には、複数のコンテンツが互いに関連するものとして記憶されている。ここでは、地図や建物に関するコンテンツとともに、建物の詳細な形状や情報が関連するコンテンツとして記憶されている。
【００５６】
表示制御部３３は、地図や建物を三次元的に背景映像Ａとして背景映像用ディスプレイ１１に表示させる。また、表示制御部３３は、タッチパッド２０の操作により背景映像Ａ中の観覧車Ｘ近辺にポインタが移動され、かつその場でタップ動作を検出したとき、その建物に関連した観覧車の詳細な情報を記憶装置３１から読み出し、元画像Ｃを立体映像用ディスプレイ１２に表示させる。
【００５７】
この結果、背景映像Ａの前方に、タップ動作した観覧車Ｘの詳細な情報が立体映像Ｂとして表示される。立体映像Ｂの観覧車Ｘを、背景映像Ａの観覧車Ｘよりも詳細な形状で描画したり、任意の軸周りに回転させることで、より詳細に、よりリアルに観覧車Ｘをユーザーに提示することができる。また、特に図示しないが、観覧車Ｘについて説明した文字を表示してもよい。
【００５８】
このように背景映像用ディスプレイ１１又は立体映像用ディスプレイ１２に互いに関連するコンテンツを表示する。これにより「背景映像に表示されたコンテンツの一部（観覧車）の詳細を知りたい」という要求に対して、立体映像Ｂによる高い表現力で関連するコンテンツをユーザーに提示することができる。
【００５９】
図６には、音楽プレイヤーアプリケーションの起動から音楽の再生までの間に、背景映像Ａ及び立体映像Ｂが遷移する例を示している。
【００６０】
まず、図６（ａ）では、表示制御部３３は、無地の背景映像Ａを背景映像用ディスプレイ１１に表示させ、アプリケーションの各種アイコンを並べた立体映像Ｂを立体映像用ディスプレイ１２に表示させる。
【００６１】
このとき、タッチパッド２０の操作は、立体映像用ディスプレイ１２に表示された立体映像Ｂに対するものとなっている。すなわち、タッチパッド２０でスライド動作をすれば、立体映像Ｂには移動するポインタが表示され、何れかのアイコンにあわせたときにタップ動作が検出されれば、そのアイコンに対するタップ動作として検出される。
【００６２】
図６（ａ）において、音楽プレイヤーアプリケーションのアイコンにあわせてタップ動作が検出されたとき、図６（ｂ）に示すように、表示制御部３３は、それまでの立体映像Ｂを背景映像Ａとして表示し、音楽プレイヤーアプリケーションを立体映像Ｂとして表示する。この例では、音楽プレイヤーアプリケーションは、複数の音楽がまとめられたプレイリストを立体映像Ｂとして表示している。
【００６３】
図６（ｂ）において、複数あるプレイリストのうち一つにあわせてタップ動作が検出されたとき、図６（ｃ）に示すように、表示制御部３３は、それまでの立体映像Ｂを背景映像Ａとして表示し、音楽の再生画面を立体映像Ｂとして表示する。この例では、音楽プレイヤーアプリケーションがプレイリストの選択画面を背景映像Ａとして表示し、選択されたプレイリストに含まれる音楽の再生画面を立体映像Ｂとして表示している。なお、特に図示しないが、左へのフリック動作など特定の動作を検出したときには、図６（ｃ）から図６（ｂ）、又は図６（ｂ）から図６（ａ）に戻すなど、画面遷移を戻してもよい。
【００６４】
このように、立体映像用ディスプレイ１２の立体映像に対する動作に応じて、アプリケーションによる映像を遷移させる際に、その立体映像を背景映像とし、遷移後の新たな映像を立体映像としてもよい。これにより、操作対象として着目させたいアイコンやプレイリストなどのコンテンツが背景映像Ａよりも前方に立体映像Ｂとして表示されるので、それらのコンテンツに対する操作性を向上することができる。
【００６５】
さらに、背景映像Ａが一つ前の画面を表しているので、その内容を確認しながら、立体映像Ｂとして表示されたコンテンツを閲覧・操作することができる。上記の例では、図６（ｃ）において、プレイリストに含まれる曲名を背景映像Ａで見ながら、いま再生されている曲に関する情報を立体映像Ｂで確認し、操作を行える。
【００６６】
以上に説明したように、車載ユーザーインターフェース装置１は、コンテンツを背景映像用ディスプレイ１１及び立体映像用ディスプレイ１２に背景映像及び立体映像として表示する。このように複数のコンテンツを背景及びそれより前方に浮遊するように表示するので多様なコンテンツ（情報）をユーザーに対して表示することができる。また、単にコンテンツを並べて表示するのではなく、一方を立体映像Ｂとして表示するので、ユーザーに臨場感や驚き、楽しみを与えることができる。
【００６７】
また、タッチパッド２０の操作からユーザーの手の動作を検出し、これに基づいて背景映像Ａ又は立体映像Ｂを更新する。これにより、背景映像用ディスプレイ１１及び立体映像用ディスプレイ１２に表示された映像を見ながら直観的にアプリケーションの操作をすることができる。
【００６８】
また、立体映像用ディスプレイ１２の立体映像Ｂに対する動作に応じて、新たな映像を立体映像Ｂとして表示させ、それまでに表示していた立体映像Ｂを背景映像Ａとして表示する。これにより、操作対象として着目させたいアイコンやプレイリストなどのコンテンツが背景映像Ａよりも前方に立体映像Ｂとして表示されるので、それらのコンテンツに対する操作性を向上することができる。
【００６９】
また、背景映像用ディスプレイ１１又は立体映像用ディスプレイ１２に互いに関連するコンテンツを表示する。これにより背景映像に表示したコンテンツに関連したコンテンツを立体感のある高い表現力でユーザーに提示することができる。
【００７０】
また、背景映像用ディスプレイ１１、立体映像用ディスプレイ１２、及びハーフミラー１３を収容する筐体４０を備え、筐体４０は、車室側に開口部４５を有し、背景映像用ディスプレイ１１は、開口部４５と正対した位置で開口部４５側に向けて配置され、立体映像用ディスプレイ１２は、背景映像用ディスプレイ１１よりも開口部４５側でかつ背景映像用ディスプレイ１１の外周縁より外側に位置して筐体４０内に向けて配置され、ハーフミラー１３は、一方の面が背景映像用ディスプレイ１１側を向き、他方の面が立体映像用ディスプレイ１２側を向いて傾斜して配置される。これにより、ユーザーに臨場感や驚き、楽しみを与えることができる背景映像用ディスプレイ１１、立体映像用ディスプレイ１２及びハーフミラー１３のレイアウトを容易に成立させることができる。
【００７１】
また、筐体４０は、方形の箱型を成し、背景映像用ディスプレイ１１は、筐体４０の開口部４５と対向する背面４６に沿って設けられ、立体映像用ディスプレイ１２は、筐体４０の背面と直交する隣接面に沿って配置され、ハーフミラー１３は、筐体４０の背面と直交する隣接面が交わる第１の辺４８と、第１の辺４８の対角に位置する第２の辺４９とを結ぶ平面に沿って配置される。これにより、背景映像Ａの前方に表示される立体映像Ｂを、ユーザーに浮遊感、臨場感をより与えるように表示させることができる。
【００７２】
また、立体映像用ディスプレイ１２は、筐体４０の上面４７に沿って配置される。これにより、ユーザーからは、立体映像用ディスプレイ１２に表示されている立体映像Ｂは直接視認されず、ハーフミラー１３を通した立体映像Ｂのみが、背景映像に重ねて視認できるため、ユーザーに映像がより鮮明（綺麗）に視認させることができる。
【００７３】
なお、本発明の実施形態について説明したが、勿論、本発明は、上述の実施形態に限定されるものではなく、本発明の趣旨から逸脱しない範囲内で、構成の付加、省略、置換、およびその他の変更が可能である。
【００７４】
例えば、コンテンツは上述したものに限定されない。他のコンテンツの例としては、車両の運転操作や車載機器の操作などについて助言をあたえるアシスタント（アバター）を挙げることができ、これを立体映像又は背景映像として表示してもよい。
【００７５】
また、コネクテッドカーと呼ばれるインターネットを通じて様々なサービスを享受できる車両が知られているが、このサービスをコンテンツとして立体映像又は背景映像で表示するようにしてもよい。例えばコネクテッドカーでは、事故を起したときなどにオペレーターと通話できるサービスを利用できるが、そのオペレーターをアバターとして立体映像又は背景映像で表示してもよい。
【００７６】
また、動作検出手段としてタッチパッド２０を例示したがこれに限定されない。乗員の動作を認識するものであれば特に限定はなく、モーションセンサーを用いることができる。モーションセンサーは、乗員の手の動作を検出するための装置であり、具体的には、赤外線を発光し、その赤外線が検出対象物で反射した反射光を撮像して画像を形成する装置である。この画像を解析することで、様々な手の動作を検出することができる。
【００７７】
また、筐体４０は、方形の箱形である必要はなく、任意の形状の箱形であってもよい。立体映像用ディスプレイ１２は、上面４７に沿って筐体４０に配置されていたが、これに限定されない。少なくとも、背面４６に直交する隣接面（図２の例でいえば、筐体４０の側面や底面）に立体映像用ディスプレイ１２を配置してもよい。
【符号の説明】
【００７８】
１…車両、１０…表示装置、１１…背景映像用ディスプレイ、１１ａ…表示部、１２…立体映像用ディスプレイ、１２ａ…表示部、１３…ハーフミラー、２０…タッチパッド、３０…制御装置、３１…記憶装置、３２…動作検出部、３３…表示制御部
【図１】
2020042449.tif 000003
【図２】
2020042449.tif 000004
【図３】
2020042449.tif 000005
【図４】
2020042449.tif 000006
【図５】
2020042449.tif 000007
【図６】
2020042449.tif 000008